(57)【要約】【課題】  登山靴に簡単に装着可能であり、容易に損傷を生ぜず、靴にしっかりと固定され、安全に歩行でき、かつ携帯にも便利であること。【解決手段】  横ズレ防止ピン５を備えたフロントプレート１とヒールプレート２とをジョイント鎖３で結合し、これに登山靴Ｓへの装着用バンド手段を配する。バンド手段は、ヒールプレート２に配した踵部抱持鎖６、６と、これらの上端間に取付けられて靴底部周縁の踵上部に係止される係止バー部材１４と、踵部抱持鎖６、６を吊上げながら足首部に固定する踵部吊上ベルト１３と、フロントプレート１に配した爪先部抱持鎖８、側部抱持鎖７及び吊上補助片１０と、吊上補助片１０で側部抱持鎖７及び爪先部抱持鎖８と係合する吊上垂下部９ａ、９ｂ、９ｃ、９ｄを形成し、吊上補助片１０から延びる前後連結部９ｅ、９ｆを端部とする弾性バンド紐９と、これらの端部を前記踵部吊上げバンド１３に係止する紐端留め片１２とからなる。【選択図】  図１
2005103012.tif 000002
【特許請求の範囲】
【請求項１】
相互にフレキシブルなジョイント部材で結合され、かつ各々に複数のスパイクを備えたフロントプレート及びヒールプレートと、これらを登山靴に装着するためのバンド手段とを備えた軽アイゼンに於いて、
前記スパイクを、フロントプレート及びヒールプレートの双方の下方に突き出す複数の突起であって、各々の上部から、該フロントプレート及び該ヒールプレートの上方に立ち上がる横ズレ防止ピンを一体に備えた突起に構成し、
前記バンド手段を、
各々前記ヒールプレートの左右側部から立ち上げ装着する登山靴の踵部を抱える一対の踵部抱持鎖であって、各上端の間に登山靴への装着時に靴底部周縁の上部に係止する係止バー部材を配した踵部抱持鎖と、
両端を各々前記フロントプレートの左右前側部から立ち上げ、中間部で、装着する登山靴の爪先部分を抱えるとともに、該中間部とその両側の立ち上げ部分との各境界を被吊上部に構成した爪先部抱持鎖と、
各々前記フロントプレートの左右後側部から立ち上げ、各上端を被吊上部に構成した左右一対の側部抱持鎖と、
左右両側の前側部と後側部に各一対の吊上補助孔を開口し、装着する登山靴の前甲部に配置して使用される吊上補助片と、
登山靴への装着時に甲側足首部に位置して、その上部を後記の長い方の支分吊上ベルトの途中にスライド自在に係合する紐端留め片であって、その下部に切欠付係止孔を配置し、該切欠付係止孔に後記弾性バンド紐の両端の拡大部を着脱自在に取り付け得るように構成した紐端留め片と、
保護被覆を備えた前記弾性バンド紐であって、その長さ方向中間部を前記吊上補助片の前部中央上に位置させ、その両側への延長部分の途中を各々該吊上補助片の対応する前側部の一対の吊上補助孔の前部側のそれに挿入して垂下させるとともに各々前記爪先部抱持鎖の対応する被吊上部に貫通係止させた上で各々後部側のそれに挿入して該吊上補助片上に引き出し、更に各々を該吊上補助片の対応する後側部の一対の吊上補助孔の前部側のそれに挿入して垂下させるとともに各々対応する側の前記側部抱持鎖の上端の被吊上部に貫通係止させた上で各々後部側のそれに挿入して該吊上補助片上に引き出し、かつ各々を後方に延長させて両端の前記拡大部を前記紐端留め片の下部に形成してある切欠付係止孔に貫通係止させ得るようにした弾性バンド紐と、
長さの異なる一対の支分吊上ベルトからなり、各支分吊上ベルトの外端に配した端部係止部材によりそれぞれ対応する側の踵部抱持鎖のヒールプレート寄りの部位と登山靴への装着時に靴底部周縁の上部に位置することとなる部位との二カ所に係合し、長い方の支分吊上ベルトの途中に長さ調整手段を配し、かつ登山靴への装着時に両支分吊上ベルトの内端側を甲側に回して相互を着脱自在に結合すべく、両支分吊上ベルトの内端に着脱自在な連結手段を配した踵部吊上ベルトと、
で構成した軽アイゼン。
【請求項２】
前記拡大部を、前記弾性バンド紐の端部に結び部を形成し、該弾性バンド紐を係止球の貫通孔に貫通させ、その結び部を該貫通孔の大径部に嵌入させ、かつ該結び部から延長する部位を小径部から抜け出るようにして構成した請求項１の軽アイゼン。
【請求項３】
登山靴の靴底部周縁の踵上部付近に取り付けて前記係止バー部材の係止手段を構成する踵部付属片を付設した請求項１又は２の軽アイゼン。
【発明の詳細な説明】
【技術分野】
【０００１】
本発明は、雪の低山、雪渓又は滑りやすい泥道を歩行する際に登山靴に取付けて使用するのに適当な軽アイゼンに関するものである。
【背景技術】
【０００２】
アイゼンは、云うまでもなく、雪山の氷雪上を安全に歩行するために登山靴に装着して使用するものであるが、厳しい冬山登山ばかりでなく、雪の低山、夏の雪渓、或いは滑りやすい泥道でもその滑落防止のために有効である。そしてこのような軽登山で使用する軽アイゼンには非常に多くのそれが提供されてはいるが、いずれも、その着脱が厄介であったり、携帯に不便であったり、或いは靴の種類によっては装着が不可能であったり、若しくは歩行中に前後若しくは左右にずれたりし易い等の問題のいずれかを抱えており、満足のいくものが提供されているとは言い難かった。
【０００３】
そこで本発明者はこれらの問題点を解決すべく新たな軽アイゼン（特許文献１）を提案した。
これは、「相互にフレキシブルなジョイント部材で結合され、各々に複数のスパイクを備えたフロントプレート及びヒールプレートと、これらを登山靴に装着するためのバンド手段とを備えたアイゼンに於いて、
前記スパイクを、フロントプレート及びヒールプレートの双方の下方に突き出す複数の突起であって、各々の上部から、該フロントプレート及び該ヒールプレートの上方に立ち上がる横ズレ防止ピンを一体に備えた突起に構成し、
前記バンド手段を、
前記ヒールプレートの両側から各々立ち上げた後部立ち上げ鎖に支持される後部抱持バンドであって、靴の後部を抱持状態に支持する後部抱持バンドと、
前記フロントプレートの両側から各々二本ずつ立ち上げた前部立ち上げ鎖の内、一側の二つの前部立ち上げ鎖に結合し、他側の二つの前部立ち上げ鎖に着脱自在に結合する靴の前上部抱持バンドであって、その前部立ち上げ鎖と結合した側から後方に延長結合片を延長し、同じ側で前記後部抱持バンドから延長した延長結合片に結合した前上部抱持バンドと、
両側の各二つの前部立ち上げ鎖の内、前部側の前部立ち上げ鎖の上部間に配する靴前部抱え用の前部抱え鎖と、
前記前上部抱持バンドからその延長結合片と対称に延長した着脱延長片であって、前記後部抱持バンドからその延長結合片と対称に延長した着脱延長片に着脱自在に結合する着脱延長片とで構成し、
かつ前記バンド手段を構成する後部抱持バンド、前上部抱持バンド、該後部抱持バンド及び該前上部抱持バンドの各延長結合片並びに各着脱延長片を弾性材で構成した軽アイゼン」である。
【０００４】
このような軽アイゼンは、先に述べたそれ以前のアイゼンと比べれば、その着脱も簡単であり、携帯にも不都合がなく、かつ登山靴の種類を問わずに装着可能であり、加えて歩行中に前後若しくは左右にずれたりするような問題もなく優れたものであるということができる。
【０００５】
しかしその後の更なる検討により、雪が部分的に消えたガレ場、或いは木の枝等が錯綜した灌木帯その他のエリアをこれを外さずに歩いた場合に、バンド手段として使用する弾性材を、その構成上、板状ゴム材を打ち抜いたような部材で構成せざるを得ない関係上、それが損傷する虞を否定し得ないことが明らかになった。
【０００６】
またこの軽アイゼンは、それ以前のアイゼンと比べれば、非常に装着の容易なものではあるが、その装着に際し、登山靴でそのヒールプレート及びフロントプレートを踏んだ状態で、結合用の複数のバンド部材を外側から内側に回してそれらの各先端のフックを内側の部材のリングに掛けるように操作すべきものであるため、各バンド部材の弾力により外側又は内側に引張られがちとなり、内外バランス良く装着するのがやや面倒で、使い勝手の点で若干改善の余地がない訳でもないことが分かった。
【０００７】
【特許文献１】登録実用新案第３０８９３５６号公報
【発明の開示】
【発明が解決しようとする課題】
【０００８】
本発明は、以上の従来技術の問題点を解決し、靴の種類を問わずに簡単に、かつ左右のバランス良く装着でき、更に靴の踵側上部は堅くしっかりと係止可能であるとともに、靴の前甲部は必要以上に締付けないように配慮し、加えて安全な歩行を確保するため歩行中は靴に確実に固定されるものである一方で、使用部材の内、特に弾性材について損傷の危険性を低くした、携帯にも便利な軽アイゼンを提供することを解決の課題とするものである。
【課題を解決するための手段】
【０００９】
本発明の１は、相互にフレキシブルなジョイント部材で結合され、かつ各々に複数のスパイクを備えたフロントプレート及びヒールプレートと、これらを登山靴に装着するためのバンド手段とを備えた軽アイゼンに於いて、
前記スパイクを、フロントプレート及びヒールプレートの双方の下方に突き出す複数の突起であって、各々の上部から、該フロントプレート及び該ヒールプレートの上方に立ち上がる横ズレ防止ピンを一体に備えた突起に構成し、
前記バンド手段を、
各々前記ヒールプレートの左右側部から立ち上げ装着する登山靴の踵部を抱える一対の踵部抱持鎖であって、各上端の間に登山靴への装着時に靴底部周縁の上部に係止する係止バー部材を配した踵部抱持鎖と、
両端を各々前記フロントプレートの左右前側部から立ち上げ、中間部で、装着する登山靴の爪先部分を抱えるとともに、該中間部とその両側の立ち上げ部分との各境界を被吊上部に構成した爪先部抱持鎖と、
各々前記フロントプレートの左右後側部から立ち上げ、各上端を被吊上部に構成した左右一対の側部抱持鎖と、
左右両側の前側部と後側部に各一対の吊上補助孔を開口し、装着する登山靴の前甲部に配置して使用される吊上補助片と、
登山靴への装着時に甲側足首部に位置して、その上部を後記の長い方の支分吊上ベルトの途中にスライド自在に係合する紐端留め片であって、その下部に切欠付係止孔を配置し、該切欠付係止孔に後記弾性バンド紐の両端の拡大部を着脱自在に取り付け得るように構成した紐端留め片と、
保護被覆を備えた前記弾性バンド紐であって、その長さ方向中間部を前記吊上補助片の前部中央上に位置させ、その両側への延長部分の途中を各々該吊上補助片の対応する前側部の一対の吊上補助孔の前部側のそれに挿入して垂下させるとともに各々前記爪先部抱持鎖の対応する被吊上部に貫通係止させた上で各々後部側のそれに挿入して該吊上補助片上に引き出し、更に各々を該吊上補助片の対応する後側部の一対の吊上補助孔の前部側のそれに挿入して垂下させるとともに各々対応する側の前記側部抱持鎖の上端の被吊上部に貫通係止させた上で各々後部側のそれに挿入して該吊上補助片上に引き出し、かつ各々を後方に延長させて両端の前記拡大部を前記紐端留め片の下部に形成してある切欠付係止孔に貫通係止させ得るようにした弾性バンド紐と、
長さの異なる一対の支分吊上ベルトからなり、各支分吊上ベルトの外端に配した端部係止部材によりそれぞれ対応する側の踵部抱持鎖のヒールプレート寄りの部位と登山靴への装着時に靴底部周縁の上部に位置することとなる部位との二カ所に係合し、長い方の支分吊上ベルトの途中に長さ調整手段を配し、かつ登山靴への装着時に両支分吊上ベルトの内端側を甲側に回して相互を着脱自在に結合すべく、両支分吊上ベルトの内端に着脱自在な連結手段を配した踵部吊上ベルトと、
で構成した軽アイゼンである。
【００１０】
本発明の２は、本発明の１の軽アイゼンに於いて、前記拡大部を、前記弾性バンド紐の端部に結び部を形成し、該弾性バンド紐を係止球の貫通孔に貫通させ、その結び部を該貫通孔の大径部に嵌入させ、かつ該結び部から延長する部位を小径部から抜け出るようにして構成したものである。
【００１１】
本発明の３は、本発明の１又は２の軽アイゼンに於いて、登山靴の靴底部周縁の踵上部付近に取り付けて前記係止バー部材の係止手段を構成する踵部付属片を付設したものである。
【発明の効果】
【００１２】
本発明の１の軽アイゼンによれば、登山靴の種類を問わずに装着可能であり、前記踵部吊上ベルトによる係止バー部材の吊上が極めて良好になるため、ヒールプレート及びフロントプレートの前方への動きが確実に阻止され、その装着状態が安定したものとなる。また該踵部吊上ベルトの支分吊上ベルト相互がワンタッチで簡単に断続できるため、この軽アイゼンの登山靴への脱着が極めてスピーディかつ簡単に行えることとなると共に、装着に際し各部の締付け強さをバランス良くすることができる。更に歩行中に登山靴にしっかりと固定され、特にヒールプレートの前後及び左右の動きが確実に抑制され、安全に歩行できると共に、装着のためのバンド手段の装着位置が、歩行に際して、登山道の岩や木の根等の種々のものと接触しにくい位置関係に配置されるためその損傷の危険性も低く、かつ携帯にも便利である。
【００１３】
本発明の２の軽アイゼンによれば、前記拡大部が紐端留め片の切欠付係止孔に確実に係止できるしっかりとしたものに構成できるとともに、その外観も優れたものとなる利点を得ることができる。
【００１４】
本発明の３の軽アイゼンによれば、登山靴への装着状態で、靴底部周縁（コバ）の踵部に位置する部位の後方への突出高さが小さい場合であっても、その場合には、その部位に前記踵部付属片を接着固定することで必要な高さを得ることができる。従って前記係止バー部材を該登山靴の踵上部で靴底部周縁の上部に確実に係止することができることとなり、該係止バー部材及び踵上部抱持鎖の両側部分によって確実にヒールプレートの固定が行われることになる。そのため歩行中に該ヒールプレートが横ズレ、縦ズレ又はその他の方向へのズレを生じることがなくなり、一層安全な歩行を確保することができる。
【発明を実施するための最良の形態】
【００１５】
本発明を実施するための最良の形態を実施例に基づいて詳細に説明する。
【実施例１】
【００１６】
本発明の一つの実施例を図面を参照しながら詳細に説明する。
【００１７】
この実施例の軽アイゼンは、図１に示すように、フロントプレート１と、ヒールプレート２と、これらを結合するジョイント鎖（ジョイント部材）３と、上記フロントプレート１及び上記ヒールプレート２に配したスパイク４、４…及び横ズレ防止ピン５、５…と、登山靴Ｓに装着するためのバンド手段とを主要構成要素として構成したものである。
【００１８】
前記フロントプレート１は登山靴Ｓの爪先付近から土踏まず手前付近に配して使用されるもので、金属板材、この実施例では、ステンレススチールの板材を打ち抜いて形成したものである。図１に示すように、その内側の二個所を強度を低下させない限度で打ち抜き開口させて軽量化を図っている。前記ヒールプレート２は、登山靴Ｓの踵部の位置に配して使用されるもので、前記フロントプレート１と同様にステンレススチールの板材を打ち抜いて形成したものである。
【００１９】
これらのフロントプレート１及びヒールプレート２は、図１に示すように、相互を互いに近接する側の中央部分で前記ジョイント鎖３により結合している。該ジョイント鎖３の長さは、登山靴Ｓのサイズに合わせて適切な長さに設定しておくものとする。なおこの長さを調節可能に構成することとしても良いが、登山靴Ｓのサイズに合わせて数種を用意しておく方が適当である。
【００２０】
前記フロントプレート１及びヒールプレート２の両側部付近にはその下方に突出する複数のスパイク４、４…を連設する。この実施例では、図１に示すように、該フロントプレート１の両側部付近には各々３本のスパイク４、４、４を垂下突設し、該ヒールプレート２の両側部付近には各々２本のスパイク４、４を垂下突設している。上記各スパイク４、４…は、各々フロントプレート１及びヒールプレート２の該当部位に開口した固定孔に下方から下向き突起部材を挿入し、上方に突き抜けた部位の外周大径部をカシメて固定しているものである。以上の下方に突出した突起がスパイク４、４…を構成するものである。またスパイク４、４…を固定するためにカシメた外周拡大部の中心には小さな突起が形成してあり、これが横ズレ防止ピン５、５…となる。
【００２１】
前記バンド手段は、図１に示すように、基本的に、前記ヒールプレート２に位置して装着する登山靴Ｓの踵部を抱える踵部抱持鎖６、６と、該踵部抱持鎖６の各上端に、登山靴Ｓへの装着時に靴底部Ｓ１周縁の上部に係止し得るように、その両端を取付けた係止バー部材１４と、前記フロントプレート１の前部に位置して装着する登山靴Ｓの爪先部分を抱える爪先部抱持鎖８と、各々前記フロントプレート１の左右後側部から立ち上げた左右一対の側部抱持鎖７、７と、左右両側の前側部と後側部に各一対の吊上補助孔を開口し、装着する登山靴Ｓの甲部に配置して使用される吊上補助片１０と、フロントプレート１から立ち上がった爪先部抱持鎖８及び側部抱持鎖７、７を装着する登山靴Ｓの足先側を抱持させるべく吊上支持する保護被覆を備えた弾性バンド紐９と、登山靴への装着時に、該弾性バンド紐９の両端を引寄せ結合固定するための紐端留め片１２と、長さの異なる一対の支分吊上ベルト１３ａ、１３ｂからなり、各々の外端に配した端部係止部材１３ｃ、１３ｃにより各々対応する側の踵部抱持鎖６、６の二カ所に係合し、かつ登山靴への装着時に両支分吊上ベルト１３ａ、１３ｂの内端側を甲側に回して相互を着脱自在に結合すべく、両内端に各々着脱自在な連結手段を配した踵部吊上ベルト１３とで構成したものである。
【００２２】
前記踵部抱持鎖６、６は、図１に示すように、下端を各々前記ヒールプレート２の左右側部から立ち上げたもので、その各上端の間には、登山靴Ｓへの装着状態で、靴底部Ｓ１周縁の上部に係止することとなる係止バー部材１４を配してあり、両側の各々はその途中の２箇所を前記踵部吊上ベルト１３の対応する側の支分吊上ベルト１３ａ、１３ｂの各外端に配した端部係止部材１３ｃで吊上げられ、両側の立ち上げ部分が装着した登山靴Ｓの踵部を両側から抱える状態となるようになっているものである。
【００２３】
以上の端部係止部材１３ｃ、１３ｃは、特に図１に示すように、前記各支分吊上ベルト１３ａ、１３ｂの各外端に取付けられたステンレススチール製の二股フック部材で、先端の二つのフック部材の間隔の調整可能な部材で、該二つのフック部材を所定の間隔まで広げて上記踵部抱持鎖６、６の途中の２つのリングに係合させて該各支分吊上ベルト１３ａ、１３ｂで吊上げるようになっているものである。
【００２４】
該端部係止部材１３ｃは、登山靴Ｓへの装着時には、全体として、各対応する支分吊上ベルト１３ａ、１３ｂにより、前記踵部抱持鎖６、６を、前上方、即ち、甲側足首の方向に吊上げるように、その適切な部位に結合する。詳細には、各々の端部係止部材１３ｃ、１３ｃの各フック部材のうち、下側のそれは前記ヒールプレート２の直上付近で、他方、上側のそれは登山靴Ｓへの装着時に靴底部Ｓ１周縁の上部付近で、それぞれ該当する側の踵部抱持鎖６を構成するリングに係止するように結合するものである。こうすることにより、該踵部抱持鎖６、６を各々一箇所だけで吊上げるよりも、より確実に踵部を抱持することができることになる。
【００２５】
前記踵部吊上ベルト１３を構成する二つの支分吊上ベルト１３ａ、１３ｂは、そのベルト本体を引張り強度だけでなく水にも強い丈夫な合成繊維の布で構成し、かつ図１に示すように、その内、長い方の支分吊上ベルト１３ａには、長さ調整手段１３ｄが挿入してあり、その長さを自在に調節できるようになっている。この長さ調整手段１３ｄは、四辺形の辺に沿った枠及びその前後の辺に沿った二本の枠に平行な中間枠とからなる極めて一般的なもので、ベルトの先端部を、例えば、該長さ調整手段１３ｄの裏側から中間枠に結合し、その途中を使用上の先端側（内端）に延長して折り返し、折り返した側の部分の途中を、前枠の裏側から中間枠との間の隙間に挿入して表側に引き出し、更に表側から中間枠と後枠との隙間に挿入して裏側に引き出し、後端（外端）側に延長したものである。後端（外端）には、前記したように、端部係止部材１３ｃに結合し、使用上の先端（内端）には雄側結合片１３ｅを配し、これと長さ調整手段１３ｄとの間には紐端留め片１２を配したものである。
【００２６】
前記長さ調整手段１３ｄは、以上のように取り付けたものであるため、その位置から内端まではベルトが二重になっており、該長さ調整手段１３ｄの位置を移動するとこの二重になった部分の長さも変り、これに応じてこの支分吊上ベルト１３ａの内外端間の長さも変化し、前記踵部抱持鎖６を十分な締付力をもって締付け得る長さに調節することができる。
【００２７】
なお前記紐端留め片１２は、その上部に開口した係止孔１２ａに係止させた係止環１３ｇを、該支分吊上ベルト１３ａの雄側結合片１３ｅと長さ調整手段１３ｄとの間にスライド自在に外装させてあるものである。そのため、該支分吊上ベルト１３ａが前記長さ調整手段１３ｄの調整により長さが変化しても、その上をスライド移動させて該紐端留め片１２の位置を適切な位置に移動させることができる。
【００２８】
また踵部吊上ベルト１３の長い方の支分吊上ベルト１３ａの内端には、先に述べ、図１及び図５(a)、(b)に示すように、雄側結合片１３ｅが結合してあり、同図に示すように、短い方の支分吊上ベルト１３ｂの内端には、該雄側結合片１３ｅと嵌脱自在な雌側結合片１３ｆが結合してある。該雄側結合片１３ｅは、その基部１３ｅ１の四辺形枠部中の図示しない係止枠に長い方の支分吊上ベルト１３ａの内端を形成する折り返し部を掛け渡して結合し、また該雌側結合片１３ｆは、その基部１３ｆ１の係止枠に短い方の支分吊上ベルト１３ｂの内端を掛け渡した上で折り返し、該折り返し部分を折り返し前の部分に接合固定して結合したものである。なおこれらの雄側結合片１３ｅ及び雌側結合片１３ｆは前記連結手段である。
【００２９】
該雄側結合片１３ｅ及び雌側結合片１３ｆは、図１及び図５(a)、(b)に示すように、市販の一般的な連結手段であり、簡単な説明に留める。該雄側結合片１３ｅは、その先端の僅かに起伏自在となっている部材ｄ１が、該雌側結合片１３ｆの対向する先端部開口ｅ１から伏せた状態で進入し、上部が開口した空間ｅ２内に進入すると起き上がって後退できない状態となって嵌合固定状態となるもので、相互を分離させる場合は、この上方の開口から該起伏自在な部材ｄ１を押し下げて伏せた状態にしながら後退させれば良い。前記した起伏自在な部材ｄ１は、前記上部が開口した空間ｅ２内に埋設された状態で収容されるため、通常の使用では周囲の物に触れる可能性も低く、不用意に分離する虞は少ない。その一方で随意にワンタッチで着脱させることができるものである。
【００３０】
前記係止バー部材１４は、図１及び図７(a)に示すように、対象の登山靴Ｓの幅より僅かに短い寸法のステンレススチール製の棒材であり、その両端に形成したフックにより両側の各踵部抱持鎖６、６の上端に結合したものである。
【００３１】
なお、そのため前記両踵部抱持鎖６、６の長さは、登山靴Ｓへの装着の際に、図７(a)に示すように、該ヒールプレート２の側部から概ね靴底部Ｓ１の周縁上部まで立上り、更にほぼその高さで踵部上部に係止する係止バー部材１４の該当する端部まで延びて結合することのできる長さに構成しておくべきものである。
【００３２】
前記爪先部抱持鎖８は、図１及び図６に示すように、両端を各々前記フロントプレート１の左右前側部から立ち上げる立ち上げ鎖部８ａ、８ｂと、これらに連続する中間部であり、装着する登山靴Ｓの爪先部分を抱える爪先抱持鎖部８ｅと、該爪先抱持鎖部８ｅとその両側に連続する立ち上げ鎖部８ａ、８ｂとの各境界に配した被吊上環（被吊上部）８ｃ、８ｄとで構成する。
【００３３】
前記側部抱持鎖７、７は、図１に示すように、各々前記フロントプレート１の左右後側部から立ち上げた立ち上げ鎖部７ｃ、７ｃと、それらの各上端に配した被吊上環（被吊上部）７ａ、７ｂ（被吊上環７ｂは図面中に表れていない）とで構成する。
【００３４】
前記吊上補助片１０は、図１、図２及び図６に示すように、合成樹脂製の板材で構成したものであり、左右両側の前側部と後側部に各々前後方向に並べた一対の吊上補助孔１０ａ、１０ｂ、１０ｃ、１０ｄ、１０ｅ、１０ｆ、１０ｇ、１０ｈを開口したものである。これらの吊上補助孔１０ａ、１０ｂ、１０ｃ、１０ｄ、１０ｅ、１０ｆ、１０ｇ、１０ｈは、後述するように、前記弾性バンド紐９が挿通されることになる。また、図２に示すように、その上面には、一つの吊上補助孔から隣接する吊上補助孔へと亘る弾性バンド紐９を半ば埋設する案内溝が刻まれている。具体的には、吊上補助孔１０ａと１０ｅとを繋ぐ案内溝１０ｉ、吊上補助孔１０ｂと１０ｃとを繋ぐ案内溝１０ｊ、及び吊上補助孔１０ｆと１０ｇとを繋ぐ案内溝１０ｋである。
【００３５】
なお、上端に刻まれた案内溝１０ｌ、１０ｍは吊上補助孔１０ｄ、１０ｈから紐端留め片１２に延びる弾性バンド紐９を案内し半埋設させるものである。
【００３６】
これらの案内溝１０ｉ〜１０ｍには弾性バンド紐９の位置ずれ防止とともに、露出に伴う接触及び損傷を回避する役割もある。
【００３７】
前記弾性バンド紐９は、この実施例では、その弾性材として多数の糸状の合成ゴム材を断面が円柱状になるように束ね合わせ、その外周を伸縮性に富む布で覆って構成したものを採用したものであり、容易に入手できるものである。
【００３８】
前記弾性バンド紐９は、図１及び図６に示すように、その両末端直前には端部係止球（係止球）１１ａ、１１ｂを固設したものである。なお、前記弾性バンド紐９の前記吊上補助片１０から後方に延びる二つの延長部分、即ち、前後連結部９ｅ、９ｆは、後述するように、前記紐端留め片１２の下側の切欠付係止孔１２ｂに係合して、前記吊上補助片１０を甲側足首部の方に引寄せるものである。
【００３９】
前記弾性バンド紐９は、図１及び図６に示すように、その長さ方向の中間部分を中心として、その両側の部分を前記吊上補助片１０の最前部の両側の吊上補助孔１０ａ、１０ｅに各々上方から挿入し、その一方の吊上補助孔１０ａに挿入した側は、下方からこれと対になる後方の吊上補助孔１０ｂに挿入することで、その部位に吊上垂下部９ａを生じさせ、上方に出た部分は更にその後方の吊上補助孔１０ｃに挿入し、下方に出た部分を今度はこれと対になる吊上補助孔１０ｄに挿入することで、その部位に吊上垂下部９ｃを生じさせ、該吊上補助孔１０ｄから上方に出た部分は図２に示す案内溝１０ｌを経由して後方に延長する前後連結部９ｅとなる。
【００４０】
また前記両側の吊上補助孔１０ａ、１０ｅの内、他方の吊上補助孔１０ｅに挿入した側も同様に、図１及び図６に示すように、下方からこれと対になる後方の吊上補助孔１０ｆに挿入することで、その部位に吊上垂下部９ｂを生じさせ、上方に出た部分は更にその後方の吊上補助孔１０ｇに挿入し、下方に出た部分を今度はこれと対になる吊上補助孔１０ｈに挿入することで、その部位に吊上垂下部９ｄを生じさせ、該吊上補助孔１０ｈから上方に出た部分も案内溝１０ｍを経由して前記した側と同様に後方に延長する前後連結部９ｆとなる。
【００４１】
図１及び図６に示すように、前記吊上垂下部９ａ、９ｃ、９ｂ、９ｄの内、吊上垂下部９ａ、９ｂは、これを以上のようにセットする際に、予め、前記フロントプレート１の前両側部から立ち上がった爪先部抱持鎖８の両側の被吊上環８ｃ、８ｄに貫通係止させ、また吊上垂下部９ｃ、９ｄは、これを以上のようにセットする際に、予め、該フロントプレート１の後両側部から各々立ち上げた側部抱持鎖７、７の各々の上端の被吊上環７ａ、７ｂに貫通係止させる。
【００４２】
前記弾性バンド紐９は、前記し、かつ図１及び図６に示すように、その両方の前後連結部９ｅ、９ｆの末端直前には端部係止球１１ａ、１１ｂが固設してあるものであるが、これらは、前記吊上補助片１０の各吊上補助孔１０ａ〜１０ｈへの挿入及び前記各吊上環７ａ、７ｂ、８ｃ、８ｄへの貫通係止の後に固設すべきものであることは云うまでもない。
【００４３】
なお弾性バンド紐９の該吊上補助片１０から後方に延びる前記前後連結部９ｅ、９ｆは、該端部係止球１１ａ、１１ｂを取付けることにより、その各末端側を紐端留め片１２の切欠付係止孔１２ｂに容易かつ確実に係合させ得ることになる。
【００４４】
前記端部係止球１１ａ（１１ｂ）は、図４に、二点鎖線で表示する弾性バンド紐９の前後連結部９ｅ（９ｆ）と併せて、その断面を示すように、中央を貫通する貫通孔が大径部と小径部とからなり、その径がその両端側で異なり（図４中では大径部側の径Φ１＞小径部側の径Φ２）、該前後連結部９ｅの末端部に結び部９ｇを形成しておき、該端部係止球１１ａ（１１ｂ）が結び部９ｇを形成した側に移動できないようにしたものである。即ち、端部係止球１１ａ（１１ｂ）は、前後連結部９ｅ、９ｆの末端側に形成した結び部９ｇを越えて抜け出さないように取付けられている。
【００４５】
前記紐端留め片１２は、図３に示すように、平面から見てほぼ方形の合成樹脂製板材に、上部には係止孔１２ａを、下部には中央部に切欠を付けた長孔状の切欠付係止孔１２ｂを形成してなるものであり、前記したように、その上部に開口した係止孔１２ａに係止させた係止環１３ｇを、前記踵部吊上ベルト１３に於ける長い方の支分吊上ベルト１３ａの雄側結合片１３ｅと長さ調整手段１３ｄとの間にスライド自在に外装させてあるものである。
【００４６】
従ってこの実施例の軽アイゼンによれば、その登山靴Ｓへの装着が簡単にでき、かつこれを装着して氷雪上や泥道を歩く際に滑り止めとして有効に機能すると共に、これが歩行中に前後又は左右等にずれることもなく、しかも装着用の弾性バンド手段を損傷する危険性も極めて少ないので、滑落等を防止しながらより安全な歩行を確保することができる。更にはその取り外しも簡単であり、携帯及び保管にも便利である。
【００４７】
この実施例の軽アイゼンの登山靴Ｓへの装着は次のように行う。
装着に先立って、フロントプレート１とヒールプレート２とを結合するジョイント鎖３の長さを調節しておく。これは、必要以上に長い部分をカットすることにより行うことができる。また装着する登山靴Ｓの甲側を無用に強くない適切な締付力で保持できるように弾性バンド紐９の前後連結部９ｅ、９ｆの長さを調節しておく。これは結び部９ｇの位置を調節し、端部係止球１１ａ、１１ｂの位置を調節することにより行う。その際、該端部係止球１１ａ、１１ｂより端部側に無用に延びる部分は必要に応じてカットし、解れ防止処理をしておくことにする。
【００４８】
更に、登山靴Ｓの踵部を踵部抱持鎖６によって、十分な締付力をもって締付け得るように前記踵部吊上ベルト１３の長さを調節しておく。これは、前記したように、その支分吊上ベルト１３ａに挿入した長さ調整手段１３ｄの取付け位置を調節することにより行う。
更にまた装着対象の登山靴Ｓの靴底部Ｓ１の周縁（コバ）の内、踵部に位置する部位の後方への突出高さが前記係止バー部材１４をこれに係止させるのに不十分な高さである場合、即ち、図７(b)に示すように、ｔ１＜Φｂ（ｔ１は靴底部Ｓ１の該当部分の周縁の高さ、Φｂは係止バー部材１４の径）である場合には、予め、同図に示すように、厚みｔ２（ｔ１＋ｔ２＞Φｂ）の踵部付属片１４ａを靴底部Ｓ１の周縁の内、踵部に該当する部位に接着固定しておく。
【００４９】
このように調節した後、図１に示すように、フロントプレート１及びヒールプレート２を、前者を前に後者を後に位置させながら、その横ズレ防止ピン５、５…の立ち上がった面を上向きにして配し、この上に、図６に示すように、登山靴Ｓを載せる。図中にはこれを履いている登山者の足は描かれていないが、これは作図の都合上であって、実際には登山靴Ｓは登山者が履いた状態でこの軽アイゼンの装着を行う。
【００５０】
上記状態のフロントプレート１の上には、登山靴Ｓの爪先付近から土踏まずの手前付近までを載せ、ヒールプレート２には踵部付近を載せる。
図６に示すように、このとき、前記吊上補助片１０を持上げて、該吊上補助片１０から垂下する弾性バンド紐９の吊上垂下部９ａ、９ｂ、９ｃ、９ｄ及びこれらに被吊上環８ｃ、８ｄ、７ａ、７ｂを介して吊上げられている爪先部抱持鎖８の立ち上げ鎖部８ａ、８ｂ、爪先抱持鎖部８ｅ並びに側部抱持鎖７、７で囲まれる部分に該登山靴Ｓの前甲部が装入状態となるようにする。
【００５１】
次いで、この状態で、図７(a)に示すように、踵部抱持鎖６、６の上端間に取付けられた前記係止バー部材１４を登山靴Ｓの踵部の後側で、靴底部Ｓ１の周縁（コバ）上部に配置させる。このとき、登山靴Ｓの靴底部Ｓ１周縁の該当部位の後方への張り出し量が十分にあれば、該係止バー部材１４はこれに係止し、そうでない場合であっても、この部位に前記踵部付属片１４ａを接着固定しておけば、これに係止することとなる。なお、この時点では、前方の吊上補助片１０から後方に延長している弾性バンド紐９の前後連結部９ｅ、９ｆは、紐端留め片１２には未だ係合させないでおくものとする。
【００５２】
この後、前記踵部吊上ベルト１３の左右両側の支分吊上ベルト１３ａ、１３ｂを該登山靴Ｓの前方かつ上方に引張って、それらの内端に配してある雄側結合片１３ｅと雌側結合片１３ｆとを嵌合させて結合する。こうして登山靴Ｓの踵部は踵部抱持鎖６、６の各下端で吊上げる前記ヒールプレート２と上端間に取付けられた係止バー部材１４との間の部分で抱持されることとなる。
【００５３】
次いで、弾性バンド紐９の前後連結部９ｅ、９ｆをそれぞれ前記紐端留め片１２の下部側に引き上げ、これらの端部の端部係止球１１ａ、１１ｂをその切欠付係止孔１２ｂに貫通係止すれば、前記吊上補助片１０は紐端留め片１２の方に引寄せられる形で前甲部に位置することとなる。こうして登山靴Ｓへのこの実施例の軽アイゼンの装着は完了である。
【００５４】
なお、登山靴Ｓからこの実施例の軽アイゼンを取外す場合は、以上に説明した装着の手順と逆の操作を行えば良く、先ず、弾性バンド紐９の前後連結部９ｅ、９ｆの端部係止球１１ａ、１１ｂを紐端留め片１２の切欠付係止孔１２ｂから取外す操作から始める手順が操作し易い。
【００５５】
以上の説明は、図６に示すように、左側の登山靴Ｓへの装着に関してのみ行ったが、この軽アイゼンは、左右の区別なく使用することができるものであり、右側の登山靴Ｓへの装着操作も左側のそれと同様に行えば良く、同様に簡単に装着できる。
【００５６】
このようにこの実施例の軽アイゼンによれば、図６に示すように、フロントプレート１及びヒールプレート２を、登山靴Ｓの足首後部側では踵部抱持鎖６、６と係止バー部材１４とで支持し、爪先側では爪先部抱持鎖８で巻いて支持し、側部では側部抱持鎖７、７で支持し、かつこれらの爪先部抱持鎖８及び側部抱持鎖７、７は登山靴Ｓの前甲部に配置された吊上補助片１０の吊上補助孔１０ａ、１０ｂ、１０ｃ、１０ｄ、１０ｅ、１０ｆ、１０ｇ、１０ｈから垂下された弾性バンド紐９の吊上垂下部９ａ、９ｂ、９ｃ、９ｄで吊上げ、また該吊上補助片１０は踵部吊上ベルト１３を介して踵上部抱持鎖６と弾性バンド紐９の前後連結部９ｅ、９ｆで互いに支持し合い、更に踵部抱持鎖６、６は支分吊上ベルト１３ａ、１３ｂ、その前者側に配された長さ調整手段１３ｂ、雄側結合片１３ｅ及び雌側結合片１３ｆからなる踵部吊上ベルト１３により、前甲部を必要以上に締付けることなく、しっかりと吊上げ締付けることにより、登山靴Ｓに装着するものであり、登山靴Ｓの種類を問わず安全確実にしかも簡単かつスピーディに装着できるものである。
【００５７】
また、この実施例の軽アイゼンは、前記ヒールプレート２及び前記フロントプレート１の下部にスパイク４、４…を突出させてあり、これによって氷雪上や泥道に於ける滑り止めの効果が十分発揮できるのは云うまでもなく、該ヒールプレート２及び該フロントプレート１の上面に横ズレ防止ピン５、５…が立ち上がっているため、踵部抱持鎖６、係止バー部材１４、側部抱持鎖７、７及び爪先部抱持鎖８の作用と相俟って、歩行中に該ヒールプレート２及び該フロントプレート１が前後又は左右にズレるような虞がない。それ故一層歩行の安全性が確保できるものである。特に踵部吊上ベルト１３により係止バー部材１４の位置決めが確実なものとなったため、ヒールプレート２及びフロントプレート１の前方へのズレが確実に防止され、かつ該踵部吊上ベルト１３で直接にヒールプレートの左右方向への動きも抑制されるようになったため、その左右方向のズレが防止されるようになったものである。
【００５８】
更に前記弾性バンド紐９の前後連結部９ｅ、９ｆは、装着時に登山靴Ｓの甲側足首部に配置されている前記紐端留め片１２の下部の切欠付係止孔１２ｂに引寄せて係止され、登山靴Ｓの甲側上部にのみ配置されるものであるため、雪の消えたガレ場の岩や、灌木帯等での木の枝、或いは木の根等に接触する虞が低下し、その損傷の虞は非常に低いものとなる。加えて該弾性バンド紐９は保護被覆を備えたものであるため、たとえ、それらに接触するようなことがあったとしても容易に破断等の損傷を生じる虞がなく、また踵部吊上ベルト１３も丈夫な布材で、岩などに接触する可能性も低く、また、たとえ、接触した場合でも容易に損傷を生じる虞がなく、より安全に使用できるものである。
【図面の簡単な説明】
【００５９】
【図１】装着準備状態にある一実施例の軽アイゼンの概略斜視図。
【図２】登山靴の甲に配置される吊上補助片の拡大平面図。
【図３】端部係止球と組合せて弾性バンド紐の両端部を連結するための紐端留め片の拡大平面図。
【図４】弾性バンド紐の両前後連結部の端部に拡大部を構成するための係止球の拡大断面図。
【図５】(a)は分離状態にある両支分吊上ベルトの端部の雄側結合片と雌側結合片との概略斜視図。(b)は嵌合状態にある両支分吊上ベルトの端部の雄側結合片と雌側結合片との概略斜視図。
【図６】一実施例の軽アイゼンを装着した登山靴の概略斜視図。
【図７】(a)は一実施例の軽アイゼンを装着した登山靴の概略背面図。(b)はＡ−Ａ線切断部拡大断面図。
【符号の説明】
【００６０】
１    フロントプレート
２    ヒールプレート
３    ジョイント鎖
４    スパイク
５    横ズレ防止ピン
６    踵部抱持鎖
７    側部抱持鎖
７ａ、７ｂ  被吊上環（被吊上部）
７ｃ、７ｃ  立ち上げ鎖部
８    爪先部抱持鎖
８ａ、８ｂ  立ち上げ鎖部
８ｃ、８ｄ  被吊上環（被吊上部）
８ｅ  爪先抱持鎖部
９    弾性バンド紐
９ａ、９ｂ、９ｃ、９ｄ  吊上垂下部
９ｅ、９ｆ  前後連結部
９ｇ  結び部
１０  吊上補助片
１０ａ、１０ｂ、１０ｃ、１０ｄ、１０ｅ、１０ｆ、１０ｇ、１０ｈ  吊上補助孔
１０ｉ、１０ｊ、１０ｋ、１０ｌ、１０ｍ  案内溝
１１ａ、１１ｂ  端部係止球
１２  紐端留め片
１２ａ  係止孔
１２ｂ  切欠付係止孔
１３  踵部吊上ベルト
１３ａ  支分吊上ベルト（長い方）
１３ｂ  支分吊上ベルト（短い方）
１３ｃ  端部係止部材
１３ｄ  長さ調整手段
１３ｅ  雄側結合片
１３ｆ  雌側結合片
１３ｅ１、１３ｆ１  基部
１４  係止バー部材
１４ａ  踵部付属片
ｄ１    先端起伏部
ｅ１    先端部開口
ｅ２    空間（前部と上部が開口）
Ｓ    登山靴
Ｓ１  靴底部
ｔ１  靴底部の周縁の内、踵部の周縁の後方への突出高さ
ｔ２  踵部付属片の厚み
Φ１  大径部側の径
Φ２  小径部側の径
Φｂ  係止バー部材の径
【図１】
2005103012.tif 000003
【図２】
2005103012.tif 000004
【図３】
2005103012.tif 000005
【図４】
2005103012.tif 000006
【図５】
2005103012.tif 000007
【図６】
2005103012.tif 000008
【図７】
2005103012.tif 000009